(57)【要約】【課題】、外出先においても汚れを即座に簡単に洗浄できる携帯可能な携帯洗濯セット及び洗濯方法を提供する。【解決手段】    保持体２１は、例えば、１枚のシートで形成され、長手方向に所定距離で位置する２つの折部２３，２５を有する。保持体２１は、折部２３，２５で区分けされ、順に位置する第１の保持体シート部４１、第２の保持体シート部４２及び第３の保持体シート部４３により３つ折りになる。第１の保持体シート部４１には、洗剤パッケージ１１、リンスパーケージ１３及び補助シート１５を保持するスリットである保持部４７が形成されている。【選択図】図９
2020164245.tif 000002
【特許請求の範囲】
【請求項１】
洗浄液を含む洗剤手段が保持された洗剤手段保持部と、
リンス液を含むリンス手段が保持されたリンス手段保持部と
を有する
携帯洗濯セット。
【請求項２】
被洗濯対象の汚れが付着した箇所に前記洗浄液を着けた後に前記リンス手段を押し当てる際に、前記被洗濯対象を前記リンス手段との間に挟み込むために用いられる吸水性の補助手段が保持された補助手段保持部
をさらに有する請求項１に記載の携帯洗濯セット。
【請求項３】
折部が形成された1枚の保持体シートで構成される保持体を有し、
閉状態において、前記洗剤手段、前記リンス手段及び前記補助手段の全体が外部に露出しなく、且つ前記折部の両側の保持体シート部が重ね合わされるように前記保持体が前記折部で折られている
請求項２に記載の携帯洗濯セット。
【請求項４】
前記洗剤手段保持部、前記リンス手段保持部及び前記補助手段保持部は、一つの保持部で構成されており、
当該保持部に、奥から手前に向けて順に前記補助手段、前記リンス手段及び前記洗剤手段が順に重ね合わせて保持されている
請求項２又は請求項３に記載の携帯洗濯セット。
【請求項５】
前記保持体は、２つの折部で区分けされ順に位置する第１の保持体シート部、第２の保持体シート部及び第３の保持体シート部により３つ折りになる保持体シートであり、
前記第１の保持体シート部に、前記洗剤手段、前記リンス手段及び前記補助手段が挿入されたスリットである前記保持部が形成されており、
閉状態において、前記洗剤手段、前記リンス手段及び前記補助手段の一部が前記第１の保持体シート部と前記第２の保持体シート部とに挟み込まれて位置し、前記洗剤手段、前記リンス手段及び前記補助手段の残り部分が前記第２の保持体シート部と前記第３の保持体シート部とに挟み込まれて位置している
請求項４に記載の携帯洗濯セット。
【請求項６】
前記保持体は、２つの折部で区分けされ順に位置する第１の保持体シート部、第２の保持体シート部及び第３の保持体シート部により３つ折りになる保持体シートであり、
前記第１の保持体シート部に、前記洗剤手段保持部、前記リンス手段保持部及び前記補助手段保持部がそれぞれスリットとして設けられており、
閉状態において、前記洗剤手段、前記リンス手段及び前記補助手段の一部が前記第１の保持体シート部と前記第２の保持体シート部とに挟み込まれて位置し、前記洗剤手段、前記リンス手段及び前記補助手段の残り部分が前記第１の保持体シート部と前記第３の保持体シート部とに挟み込まれて位置している
請求項３に記載の携帯洗濯セット。
【請求項７】
前記第１の保持体シート部に、前記洗剤手段保持部と、前記リンス手段保持部と、前記補助手段保持部とが順に設けられている
請求項６に記載の携帯洗濯セット。
【請求項８】
前記補助手段保持部には、前記リンス手段保持部に保持された前記リンス手段と一部が重なり合い且つ前記補助手段が前記リンス手段の手前に位置するように、前記補助手段が保持されている
請求項７に記載の携帯洗濯セット。
【請求項９】
前記洗浄手段は前記洗浄液を含侵させた綿棒を保持した防水性の細長形状のパッケージであり、
前記リンス手段は、前記リンス液を含侵させた吸水性のシートであり、
前記補助手段は、吸水性のシートである
請求項１に記載の携帯洗濯セット。
【請求項１０】
前記洗浄液は、
水中の過酸化水素と反応して炭素数７〜１９のアルキル基を有する有機過酸を生成する有機過酸前駆体と過酸化水素放出体を含有する漂白洗剤組成物と、
タンパク加水分解酵素と、
炭酸水素ナトリウムと、
水と
を含有しており、
前記リンス液は、ベンザジルコニウム塩化物とクエン酸の少なくとも一方を含む防腐剤と水とを成分とする
前記洗剤手段及び前記リンス手段は、コットン製であり、
前記補助手段は、パルプ製である
請求項１〜９のいずれかに記載の携帯洗濯セット。
【請求項１１】
前記洗剤手段は、リングタイプの一つの綿材集合部の綿材の重量は「０．３４〜０．３４５ｇ」であり、前記洗浄液の含侵量「０．１〜０．１４ｇ」である
請求項１〜９のいずれかに記載の携帯洗剤セット。
【請求項１２】
前記リンス手段は、綿シートであり、
前記洗浄液の含侵量０．１ｇに対して、前記リンス液を約８ｍｌ含侵させている
請求項１１に記載の携帯洗剤セット。
【請求項１３】
被洗濯対象に請求項１に記載の洗剤手段を押し付ける第１の工程と、
前記第１の工程の後に、前記被洗濯対象に請求項１に記載のリンス手段を押し付ける第２の工程と
を有する洗濯方法。
【請求項１４】
前記第２の工程は、前記リンス手段と請求項２に記載の前記補助手段との間に前記被洗濯対象を挟み込んで行う
請求項１３に記載の洗濯方法。
【発明の詳細な説明】
【技術分野】
【０００１】
本発明は、服等の被洗濯対象に付着した汚れを除去するための洗剤シート、リンスシート、携帯洗濯セット及び洗濯方法に関するものである。
【背景技術】
【０００２】
従来では、外出先等で、衣服等に汚れた着いた場合に、帰宅後等に洗剤を使って洗濯をして汚れを落とすことが一般的である。
【先行技術文献】
【特許文献】
【０００３】
【特許文献１】特開２０１７−１８４９６１号公報
【発明の概要】
【発明が解決しようとする課題】
【０００４】
しかしながら、汚れが衣服等に付着した場合に、時間がたつと、服の生地に浸透して固まり、洗剤を使って洗濯をしても、落ちずにシミとして残ることが多い。
また、洗剤を使って何度もしみ抜きをすると、生地を傷めてしまう。
このような場合に、携帯しているウェットティッシュで、汚れを落とそうとする汚れの残渣が残ってしまう。
【０００５】
すなわち、ウェットティッシュは多孔質のパルプへ合成樹脂をコーティングしており、難溶性である。また、薬液がティシュ表面に保持した状態（ウェット）にして拭き取ることを目的としている。
そのため、薬液が出にくく、被塗物へ薬液を沢山塗りつけることができない。
ウェットティシュは物理的に汚れを洗浄するが、必ず表面には汚れが存在してしまう。薬液に汚れが分解されたとしても、表面には残渣が残る。
【０００６】
本発明はかかる事情に鑑みてなされたものであり、その目的は、外出先においても汚れを即座に簡単に洗浄できる携帯可能な携帯洗濯セット及び洗濯方法を提供することにある。
【課題を解決するための手段】
【０００７】
上述した従来技術の問題点を解決し、上述した目的を達成するために、本発明の携帯洗剤セットは、洗浄液を含む洗剤手段が保持された洗剤手段保持部と、リンス液を含むリンス手段が保持されたリンス手段保持部とを有する。
【０００８】
好適には、被洗濯対象の汚れが付着した箇所に前記洗浄液を着けた後に前記リンス手段を押し当てる際に、前記被洗濯対象を前記リンス手段との間に挟み込むために用いられる吸水性の補助手段が保持された補助手段保持部をさらに有する。
【０００９】
好適には、折部が形成された1枚の保持体シートで構成される保持体を有し、閉状態において、前記洗剤手段、前記リンス手段及び前記補助手段の全体が外部に露出しなく、且つ前記折部の両側の保持体シート部が重ね合わされるように前記保持体が前記折部で折られている。
【００１０】
好適には、前記洗剤手段保持部、前記リンス手段保持部及び前記補助手段保持部は、一つの保持部で構成されており、当該保持部に、奥から手前に向けて順に前記補助手段、前記リンス手段及び前記洗剤手段が順に重ね合わせて保持されている。
【００１１】
好適には、前記保持体は、２つの折部で区分けされ順に位置する第１の保持体シート部、第２の保持体シート部及び第３の保持体シート部により３つ折りになる保持体シートであり、前記第１の保持体シート部に、前記洗剤手段、前記リンス手段及び前記補助手段が挿入されたスリットである前記保持部が形成されており、閉状態において、前記洗剤手段、前記リンス手段及び前記補助手段の一部が前記第１の保持体シート部と前記第２の保持体シート部とに挟み込まれて位置し、前記洗剤手段、前記リンス手段及び前記補助手段の残り部分が前記第２の保持体シート部と前記第３の保持体シート部とに挟み込まれて位置している。
【００１２】
好適には、前記保持体は、２つの折部で区分けされ順に位置する第１の保持体シート部、第２の保持体シート部及び第３の保持体シート部により３つ折りになる保持体シートであり、前記第１の保持体シート部に、前記洗剤手段保持部、前記リンス手段保持部及び前記補助手段保持部がそれぞれスリットとして設けられており、閉状態において、前記洗剤手段、前記リンス手段及び前記補助手段の一部が前記第１の保持体シート部と前記第２の保持体シート部とに挟み込まれて位置し、前記洗剤手段、前記リンス手段及び前記補助手段の残り部分が前記第１の保持体シート部と前記第３の保持体シート部とに挟み込まれて位置している。
【００１３】
好適には、前記第１の保持体シート部に、前記洗剤手段保持部と、前記リンス手段保持部と、前記補助手段保持部とが順に設けられている。
【００１４】
好適には、前記補助手段保持部には、前記リンス手段保持部に保持された前記リンス手段と一部が重なり合い且つ前記補助手段が前記リンス手段の手前に位置するように、前記補助手段が保持されている。
【００１５】
好適には、前記洗浄手段は前記洗浄液を含侵させた綿棒を保持した防水性の細長形状のパッケージであり、前記リンス手段は、前記リンス液を含侵させた吸水性のシートであり、前記補助手段は、吸水性のシートである。
【００１６】
好適には、前記洗浄液は、水中の過酸化水素と反応して炭素数７〜１９のアルキル基を有する有機過酸を生成する有機過酸前駆体と過酸化水素放出体を含有する漂白洗剤組成物と、タンパク加水分解酵素と、炭酸水素ナトリウムと、水とを含有しており、前記リンス液は、ベンザジルコニウム塩化物とクエン酸の少なくとも一方を含む防腐剤と水とを成分とし、前記洗剤手段及び前記リンス手段は、コットン製であり、前記補助手段は、パルプ製である。
【００１７】
好適には、前記洗剤手段は、リングタイプの一つの綿材集合部の綿材の重量は「０．３４〜０．３４５ｇ」であり、前記洗浄液の含侵量「０．１〜０．１４ｇ」である。
【００１８】
好適には、前記リンス手段は、綿シートであり、前記洗浄液の含侵量０．１ｇに対して、前記リンス液を約８ｍｌ含侵させている。
【００１９】
本発明の洗濯方法は、被洗濯対象に前記洗剤手段を押し付ける第１の工程と、前記第１の工程の後に、前記被洗濯対象に前記リンス手段を押し付ける第２の工程とを有する。
【００２０】
好適には、前記第２の工程は、前記リンス手段と請求項２に記載の前記補助手段との間に前記被洗濯対象を挟み込んで行う。
【発明の効果】
【００２１】
本発明によれば、外出先においても汚れを即座に簡単に洗浄できる携帯可能な洗剤シート、リンスシート、携帯洗浄セット及び洗濯方法を提供することができる。
【図面の簡単な説明】
【００２２】
【図１】図１は、本発明の第１実施形態に係わる携帯洗濯セット１の全展開した状態を示す斜視図である。
【図２】図２は、図１に示す携帯洗濯セットの第１の開状態（使用時）を示す斜視図である、
【図３】図３は、図１に示す携帯洗濯セットの第２の開状態を示す斜視図である。
【図４】図４は、図１に示す携帯洗濯セットの閉状態（携帯時）を示す斜視図である。
【図５】図５は、携帯洗濯セットの保持物を説明するための図である。
【図６】図６は、洗剤パッケージに収容された綿棒の外観図である。
【図７】図７は、本発明の第２実施形態に係る携帯洗濯セットの開状態において部材が収容されていない状態を説明するための図である。
【図８】図８は、図７において、部材が収容された状態を説明するための図である。
【図９】図９は、図７に示す携帯洗濯セットの開閉を説明するための図である。
【図１０】図１０は、図７に示す携帯洗濯セットの閉状態における側面方向から見た図である。
【図１１】図１１は、図７に示す携帯洗濯セットの閉状態における正面方向から見た図である。
【図１２】図１２は、本発明の携帯洗濯セットのその他の実施形態を説明するための図である。
【図１３】図１３は、本発明の実施形態に係る綿棒の綿材集合部の綿材の材質と、洗浄液の含侵量と、洗浄効果との実施例と比較例を示す図である。
【図１４】図１４は、本発明の実施形態に係る綿棒の綿材集合部の綿材の材質と、洗浄液の含侵量と、洗浄効果との実施例と比較例を示す図である。
【図１５】図１５は、本発明の実施形態のリンスシート及び補助シートの属性と、洗浄効果とを示す図である。
【図１６】図１６は、本発明の実施形態に係る綿棒の実施例の情報を説明するための図である。
【発明を実施するための形態】
【００２３】
以下、本発明の実施形態に係わる携帯洗濯セット及び洗濯方法について説明する。
＜第１実施形態＞
図１は、本発明の実施形態に係わる携帯洗濯セット１の全展開した状態を示す斜視図である。
図２は、図１に示す携帯洗濯セット１の第１の開状態（使用時）を示す斜視図である。図３は、図１に示す携帯洗濯セット１の第２の開状態を示す斜視図である。
図４は、図１に示す携帯洗濯セット１の閉状態（携帯時）を示す斜視図である。図５は、携帯洗濯セット１の保持物を説明するための図である。
【００２４】
図１に示すように、携帯洗濯セット１は、洗剤パッケージ（洗剤手段）１１、リンスパーケージ（リンス手段）１３、補助シート（補助手段）１５、保持体２１を有している。
【００２５】
［洗剤パッケージ１１］
洗剤パッケージ１１は、細長形状の防水性のパッケージであり、洗浄液を含侵させた綿棒３１を保持している。ユーザは使用時に、洗剤パッケージ１１を指等で切り、綿棒３１を取り出す。
【００２６】
図６は、洗剤パッケージ１１に収容された綿棒３１の外観図である。
綿棒３１は、棒材３３の両端に綿材集合部３５，３７が設けられている。
棒材３３は、プラスチックや金属などの非吸水性の部材で形成されている。これにより、洗浄液が棒材３３に染み込まないようにできる。
綿材集合部３５，３７には、洗浄液が含侵されている。
綿材集合部３５，３７は、繊維を用いて形成され、毛細官現象により、洗浄液の保持と吐出により、被洗濯物に洗浄液を付着させることができる。
綿材集合部３５，３７は、例えば、リング状タイプである。
綿材集合部３５，３７及びそれに含侵される洗浄液については後述する。
洗剤パッケージ１１は、例えば、アルミフィルムで構成される。
【００２７】
洗浄液としては、水中の過酸化水素と反応して炭素数７〜１９のアルキル基を有する有機過酸を生成する有機過酸前駆体と過酸化水素放出体を含有する漂白洗剤組成物と、タンパク加水分解酵素と、炭酸水素ナトリウムと、水とを成分として含有したものが用いられる。
【００２８】
［リンスパーケージ１３］
リンスパーケージ１３は、防水性であり、内部に矩形上のリンスシートを保持している。ユーザは使用時に、リンスパーケージ１３を指等で切り、リンスシートを取り出す。
当該リスシートは、吸水性の素材で形成され、コットン等の繊維を用いて形成され、毛細官現象により、洗浄液の保持と吐出により、被洗濯物にリンス液を付着させることができる。
リンスシートは、例えば、コットン層２３、コットンＰＥＴ層２５及びコットン層２７の３層構造をしている。
【００２９】
リンスシートは、リンス液が含侵されている。リンス液としては、例えば、ベンザジルコニウム塩化物とクエン酸の少なくとも一方を含む防腐剤と水とを成分とするものが用いられる。
リンスシートへのリンス液の含侵量は、例えば８〜１２ｍｌである。
【００３０】
［補助シート１５］
補助シート１５は、被洗濯対象の汚れが付着した箇所に綿棒３１から洗浄液を着けた後にリンスシートを押し当てる際に、被洗濯対象をリンスシートとの間に挟み込むために用いられる吸水性のシートである。
補助シート１５は、例えば、パルプ製である。
補助シート１５は、例えば、透明な防水性のパッケージ内に収容されている。
【００３１】
［保持体２１］
保持体２１は、例えば、１枚のシートで形成され、長手方向に所定距離で位置する２つの折部２３，２５を有する。保持体２１は、折部２３，２５で区分けされ、順に位置する第１の保持体シート部４１、第２の保持体シート部４２及び第３の保持体シート部４３により３つ折りになる。
【００３２】
第１の保持体シート部４１には、洗剤パッケージ１１、リンスパーケージ１３及び補助シート１５を保持する保持部４７が形成されている。
保持部４７は、スリットであり、洗剤パッケージ１１、リンスパーケージ１３及び補助シート１５を挿通して保持する。
【００３３】
保持部４７には、洗剤パッケージ１１、リンスパーケージ１３及び補助シート１５が重なり合った状態で保持される。
このとき、奥から手前に向けて順に補助シート１５、リンスパーケージ１３及び洗剤パッケージ１１が順に重ね合わせて保持されている。
【００３４】
図４に示すように、保持体２１は、携帯洗濯セット１の使用前の閉状態において、保持部４７に保持された洗剤パッケージ１１、リンスパーケージ１３及び補助シート１５の全体が外部に露出しなく、且つ第１の保持体シート部４１、第２の保持体シート部４２及び第３の保持体シート部４３が重ね合わされるように折部２３，２５で折られている。
このとき、図４に示すように、図２に示す第１の収容体シート部４１のスリット４８に、第３の収容体シート部４３の凸部４９が挿入して固定される。
【００３５】
また、図４に示す閉状態において、洗剤パッケージ１１、リンスパーケージ１３及び補助シート１５の一部は第１の保持体シート部４１と第２の保持体シート部４２との間に挟み込まれて位置する。
また、洗剤パッケージ１１、リンスパーケージ１３及び補助シート１５の残りの部分は第２の保持体シート部４２と第３の保持体シート部４３との間に挟み込まれて位置する。
【００３６】
［洗濯方法］
以下、携帯洗濯セット１の使用方法（洗濯方法）を説明する。
携帯洗濯セット１は、外出先等で、衣服についた約５ｃｍ四方のシミをとるのに適している。
被洗濯対象に汚れ（シミ）が付着した場合に、携帯洗濯セット１を開状態にして、洗剤パッケージ１１を取り出し封を切って、綿棒３１を取り出す。
そして、綿棒３１の綿材集合部３５，３７を被洗濯対象の汚れが付着した箇所に押し付ける。
これにより、被洗濯対象において綿材集合部３５，３７に含侵した洗浄液によって汚れが加水分解した、洗浄液に内包された汚れとなる。
【００３７】
次に、携帯洗濯セット１からリンスパーケージ１３及び補助シート１５を取り出す。そして、リンスパーケージ１３の封を切って、リンスシートを取り出す。
【００３８】
そして、リンスシートと補助シート１５とで被洗濯対象を挟み込んで、リンスシートを被洗濯対象に押し当てる。
これにより、リンスシートからリンス液が被洗濯対象に吐出し、汚れを内包した洗浄液がリンス液に取り込まれる。
【００３９】
そして、汚れを内包した洗浄液を取り込んだリンス液が、補助シート１５に吸収される。この操作を繰り返すことで、略全てのリンス液が補助シート１５に吸収される。
【００４０】
以上説明したように、携帯洗濯セット１によれば、携帯可能なサイズの保持体２１に、洗剤パッケージ１１、リンスパーケージ１３及び補助シート１５を収容しているため、ユーザは外出先で衣服などに付着した汚れを簡単に洗浄できる。
また、携帯洗濯セット１によれば、洗剤パッケージ１１内に収容した綿棒３１の綿材集合部３５，３７に汚れた個所に押し当てることで、綿材集合部３５，３７に含侵させた洗浄液を汚れが箇所のみに着けることができ、衣服についた約５ｃｍ四方のシミを効果的に洗浄でき
る。
【００４１】
また、図２等に示すように、奥から手前に向けて順に補助シート１５、リンスパーケージ１３及び洗剤パッケージ１１が順に重ね合わせて保持したことで、最初に使用する洗剤パッケージ１１を最初に簡単に取り出すことができ、便利である。また、使用順を間違えにくくできる。
【００４２】
また、上述したように、洗浄液及びリスク液を選択したことで、汚れを分解、洗い流す効果を高めることができる。
【００４３】
＜第２実施形態＞
図７は、本発明の第２実施形態に係る携帯洗濯セット１０１の開状態において部材が収容されていない状態を説明するための図である。図８は、図７において、部材が収容された状態を説明するための図である。図９は、図７に示す携帯洗濯セット１０１の開閉を説明するための図である。図１０は、図７に示す携帯洗濯セット１０１の閉状態における側面方向から見た図である。図１１は、図７に示す携帯洗濯セット１０１の閉状態における正面方向から見た図である。
【００４４】
携帯洗濯セット１０１は、洗剤パッケージ１１、リンスパーケージ１３、補助シート１５、保持体１２１を有している。
洗剤パッケージ１１、リンスパーケージ１３、補助シート１５は、例えば、第１実施形態で説明したものと同じである。
【００４５】
保持体１２１について説明する。
保持体１２１は、２つの折部１２３，１２５で区分けされ順に位置する第１の保持体シート部１４１、第２の保持体シート部１４２及び第３の保持体シート部１４３により３つ折りになる保持体シートである。
【００４６】
図７に示すように、第１の保持体シート部１４１には、洗剤手段保持部１６１、リンス手段保持部１６３及び補助手段保持部１６５がそれぞれスリットとして図７中で左から右に向けて順に形成されている。
【００４７】
図８に示すように、第１の保持体シート部１４１の洗剤手段保持部１６１には洗剤パッケージ１１が保持されている。リンス手段保持部１６３には、リンスパーケージ１３が保持されている。補助手段保持部１６５には、補助シート１５が保持されている。
【００４８】
携帯洗濯セット１０１は、閉状態において、洗剤パッケージ１１、リンスパーケージ１３及び補助シート１５の一部が第１の保持体シート部１４１と第２の保持体シート部１４２とに挟み込まれて位置している。
また、洗剤パッケージ１１、リンスパーケージ１３及び補助シート１５の残りの部分が、第１の保持体シート部１４１と第３の保持体シート部１４３とに挟み込まれて位置している。
【００４９】
図８に示すように、補助手段保持部１６５には、第２の保持体シート部１４２に保持されたリンスパーケージ１３と一部が重なり合い且つ補助シート１５がリンスパーケージ１３の手前に位置するように、補助シート１５が保持さている。
携帯洗剤セット１０１は、閉状態において、第１の保持体シート部１４１に形成されたスリット１６８に、第３の保持体シート部１４３の凸部１７２を挿通して固定する。
【００５０】
本実施形態によっても、第１実施形態と同様の効果が得られる。
【００５１】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００５２】
例えば、上述した実施形態では、洗剤パッケージ１１、リンスシート２１及び補助シート３１の形状等は限定されず、これらは任意である。
【００５３】
また、携帯洗濯セットにおける洗剤パッケージ、リンスパーケージ及び補助シートの収容方法は任意である。
また、線状手段は、綿棒以外にシート等でよい。
【００５４】
また、携帯洗濯セットは、洗剤パッケージとリンスパーケージとを保持し、補助シートを保持していなくてもよい。
また、図１２に示すように、洗剤パッケージ１１のみを保持する携帯洗濯セット２０１にしてもよい。
【００５５】
以下、綿棒３１の綿材集合部３５，３７の綿材について説明する。
図１３及び図１４は、本発明の実施形態に係る綿棒３１の綿材集合部３５，３７の綿材の材質と、洗浄液の含侵量と、洗浄効果との実施例と比較例を示す図である。
綿棒材質は綿棒３１の綿材集合部３５，３７、すすぎ用はリンスシート、吸収材は補助シート１５である。
【００５６】
リングタイプの綿材集合部３５，３７において、綿材（ｇ）が０．３４〜０．３４５で洗浄液の含侵量（ｇ）が０．１〜０．１４である実施例が、比較例と比べて洗浄効果が特に優れていることが分かる。
これが５ｃｍ２のシミを分解するのに適している。
【００５７】
図１５は、本発明の実施形態のリンスシート及び補助シート１５の属性と、洗浄効果とを示す図である。
図１５に示すように、リンスシートへのリンス液の含侵量（ｍｌ）は、洗浄液０．１ｇに対して、８ｍｌが好ましい。また、補助シート１５は、７．５ｃｍ×７．５ｃｍのカット綿が好ましい。
【００５８】
図１６は、本発明の実施形態に係る綿棒３１実施例の情報である。
綿棒３１の綿材集合部３５，３７の洗濯直径は、０．１８〜１．５ｃｍが好ましい。
【産業上の利用可能性】
【００５９】
本発明は洗剤や洗濯事業に適用可能である。
【符号の説明】
【００６０】
１，１０１…携帯洗濯セット
１１…洗剤パッケージ
１３…リンスパーケージ
１５…補助シート
２１…保持体２１
２３，２５…折部
３１…綿棒
３３…棒材
３５，３７…綿材集合部
４１…第１の保持体シート部
４２…第２の保持体シート部
４３…第３の保持体シート部
４７…保持部
１４１…第１の保持体シート部
１４２…第２の保持体シート部
１４３…第３の保持体シート部
１６１…洗剤手段保持部
１６３…リンス手段保持部
１６５…補助手段保持部
【図１】
2020164245.tif 000003
【図２】
2020164245.tif 000004
【図３】
2020164245.tif 000005
【図４】
2020164245.tif 000006
【図５】
2020164245.tif 000007
【図６】
2020164245.tif 000008
【図７】
2020164245.tif 000009
【図８】
2020164245.tif 000010
【図９】
2020164245.tif 000011
【図１０】
2020164245.tif 000012
【図１１】
2020164245.tif 000013
【図１２】
2020164245.tif 000014
【図１３】
2020164245.tif 000015
【図１４】
2020164245.tif 000016
【図１５】
2020164245.tif 000017
【図１６】
2020164245.tif 000018
【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
洗浄液を含む洗剤手段が保持された洗剤手段保持部と、
リンス液を含むリンス手段が保持されたリンス手段保持部と、
被洗濯対象の汚れが付着した箇所に前記洗浄液を着けた後に前記リンス手段を押し当てる際に、前記被洗濯対象を前記リンス手段との間に挟み込むために用いられる吸水性の補助手段が保持された補助手段保持部と
を有する携帯洗濯セット。
【請求項２】
折部が形成された1枚の保持体シートで構成される保持体を有し、
閉状態において、前記洗剤手段、前記リンス手段及び前記補助手段の全体が外部に露出しなく、且つ前記折部の両側の保持体シート部が重ね合わされるように前記保持体が前記折部で折られている
請求項１に記載の携帯洗濯セット。
【請求項３】
前記洗剤手段保持部、前記リンス手段保持部及び前記補助手段保持部は、一つの保持部で構成されており、
当該保持部に、奥から手前に向けて順に前記補助手段、前記リンス手段及び前記洗剤手段が順に重ね合わせて保持されている
請求項１又は請求項２に記載の携帯洗濯セット。
【請求項４】
前記保持体は、２つの折部で区分けされ順に位置する第１の保持体シート部、第２の保持体シート部及び第３の保持体シート部により３つ折りになる保持体シートであり、
前記第１の保持体シート部に、前記洗剤手段、前記リンス手段及び前記補助手段が挿入されたスリットである前記保持部が形成されており、
閉状態において、前記洗剤手段、前記リンス手段及び前記補助手段の一部が前記第１の保持体シート部と前記第２の保持体シート部とに挟み込まれて位置し、前記洗剤手段、前記リンス手段及び前記補助手段の残り部分が前記第２の保持体シート部と前記第３の保持体シート部とに挟み込まれて位置している
請求項３に記載の携帯洗濯セット。
【請求項５】
前記保持体は、２つの折部で区分けされ順に位置する第１の保持体シート部、第２の保持体シート部及び第３の保持体シート部により３つ折りになる保持体シートであり、
前記第１の保持体シート部に、前記洗剤手段保持部、前記リンス手段保持部及び前記補助手段保持部がそれぞれスリットとして設けられており、
閉状態において、前記洗剤手段、前記リンス手段及び前記補助手段の一部が前記第１の保持体シート部と前記第２の保持体シート部とに挟み込まれて位置し、前記洗剤手段、前記リンス手段及び前記補助手段の残り部分が前記第１の保持体シート部と前記第３の保持体シート部とに挟み込まれて位置している
請求項２に記載の携帯洗濯セット。
【請求項６】
前記第１の保持体シート部に、前記洗剤手段保持部と、前記リンス手段保持部と、前記補助手段保持部とが順に設けられている
請求項５に記載の携帯洗濯セット。
【請求項７】
前記補助手段保持部には、前記リンス手段保持部に保持された前記リンス手段と一部が重なり合い且つ前記補助手段が前記リンス手段の手前に位置するように、前記補助手段が保持されている
請求項６に記載の携帯洗濯セット。
【請求項８】
前記洗浄手段は前記洗浄液を含侵させた綿棒を保持した防水性の細長形状のパッケージであり、
前記リンス手段は、前記リンス液を含侵させた吸水性のシートであり、
前記補助手段は、吸水性のシートである
請求項１に記載の携帯洗濯セット。
【請求項９】
前記洗浄液は、
水中の過酸化水素と反応して炭素数７〜１９のアルキル基を有する有機過酸を生成する有機過酸前駆体と過酸化水素放出体を含有する漂白洗剤組成物と、
タンパク加水分解酵素と、
炭酸水素ナトリウムと、
水と
を含有しており、
前記リンス液は、ベンザジルコニウム塩化物とクエン酸の少なくとも一方を含む防腐剤と水とを成分とする
前記洗剤手段及び前記リンス手段は、コットン製であり、
前記補助手段は、パルプ製である
請求項１〜８のいずれかに記載の携帯洗濯セット。
【請求項１０】
前記洗剤手段は、リングタイプの一つの綿材集合部の綿材の重量は「０．３４〜０．３４５ｇ」であり、前記洗浄液の含侵量「０．１〜０．１４ｇ」である
請求項１〜８のいずれかに記載の携帯洗剤セット。
【請求項１１】
被洗濯対象に請求項１に記載の洗剤手段を押し付ける第１の工程と、
前記第１の工程の後に、前記被洗濯対象に請求項１に記載のリンス手段を押し付ける第２の工程と、
被洗濯対象の汚れが付着した箇所に前記洗浄液を着けた後に、前記被洗濯対象を前記リンス手段と前記請求項１に記載の補助手段との間に挟み込んで前記リンス手段を前記被洗濯対象押し当てる第３の工程と
を有する洗濯方法。
【手続補正２】
【補正対象書類名】明細書
【補正対象項目名】０００７
【補正方法】変更
【補正の内容】
【０００７】
上述した従来技術の問題点を解決し、上述した目的を達成するために、本発明の携帯洗剤セットは、洗浄液を含む洗剤手段が保持された洗剤手段保持部と、リンス液を含むリンス手段が保持されたリンス手段保持部と、被洗濯対象の汚れが付着した箇所に前記洗浄液を着けた後に前記リンス手段を押し当てる際に、前記被洗濯対象を前記リンス手段との間に挟み込むために用いられる吸水性の補助手段が保持された補助手段保持部とを有する。
【手続補正３】
【補正対象書類名】明細書
【補正対象項目名】０００８
【補正方法】削除
【補正の内容】
【手続補正４】
【補正対象書類名】明細書
【補正対象項目名】００１９
【補正方法】変更
【補正の内容】
【００１９】
本発明の洗濯方法は、被洗濯対象に上記洗剤手段を押し付ける第１の工程と、前記第１の工程の後に、前記被洗濯対象に上記リンス手段を押し付ける第２の工程と、被洗濯対象の汚れが付着した箇所に前記洗浄液を着けた後に、前記被洗濯対象を前記リンス手段と上記補助手段との間に挟み込んで前記リンス手段を前記被洗濯対象押し当てる第３の工程とを有する。
【手続補正５】
【補正対象書類名】明細書
【補正対象項目名】００２０
【補正方法】削除
【補正の内容】
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
洗浄液を含む洗剤手段が保持された洗剤手段保持部と、
リンス液を含むリンス手段が保持されたリンス手段保持部と、
被洗濯対象の汚れが付着した箇所に前記洗浄液を着けた後に前記リンス手段を押し当てる際に、前記被洗濯対象を前記リンス手段との間に挟み込むために用いられる吸水性の補助手段が保持された補助手段保持部と
を有する携帯洗濯セット。
【請求項２】
折部が形成された1枚の保持体シートで構成される保持体を有し、
閉状態において、前記洗剤手段、前記リンス手段及び前記補助手段の全体が外部に露出しなく、且つ前記折部の両側の保持体シート部が重ね合わされるように前記保持体が前記折部で折られている
請求項１に記載の携帯洗濯セット。
【請求項３】
前記洗剤手段保持部、前記リンス手段保持部及び前記補助手段保持部は、一つの保持部で構成されており、
当該保持部に、奥から手前に向けて順に前記補助手段、前記リンス手段及び前記洗剤手段が順に重ね合わせて保持されている
請求項１又は請求項２に記載の携帯洗濯セット。
【請求項４】
前記保持体は、２つの折部で区分けされ順に位置する第１の保持体シート部、第２の保持体シート部及び第３の保持体シート部により３つ折りになる保持体シートであり、
前記第１の保持体シート部に、前記洗剤手段、前記リンス手段及び前記補助手段が挿入されたスリットである前記保持部が形成されており、
閉状態において、前記洗剤手段、前記リンス手段及び前記補助手段の一部が前記第１の保持体シート部と前記第２の保持体シート部とに挟み込まれて位置し、前記洗剤手段、前記リンス手段及び前記補助手段の残り部分が前記第２の保持体シート部と前記第３の保持体シート部とに挟み込まれて位置している
請求項３に記載の携帯洗濯セット。
【請求項５】
前記保持体は、２つの折部で区分けされ順に位置する第１の保持体シート部、第２の保持体シート部及び第３の保持体シート部により３つ折りになる保持体シートであり、
前記第１の保持体シート部に、前記洗剤手段保持部、前記リンス手段保持部及び前記補助手段保持部がそれぞれスリットとして設けられており、
閉状態において、前記洗剤手段、前記リンス手段及び前記補助手段の一部が前記第１の保持体シート部と前記第２の保持体シート部とに挟み込まれて位置し、前記洗剤手段、前記リンス手段及び前記補助手段の残り部分が前記第１の保持体シート部と前記第３の保持体シート部とに挟み込まれて位置している
請求項２に記載の携帯洗濯セット。
【請求項６】
前記第１の保持体シート部に、前記洗剤手段保持部と、前記リンス手段保持部と、前記補助手段保持部とが順に設けられている
請求項５に記載の携帯洗濯セット。
【請求項７】
前記補助手段保持部には、前記リンス手段保持部に保持された前記リンス手段と一部が重なり合い且つ前記補助手段が前記リンス手段の手前に位置するように、前記補助手段が保持されている
請求項６に記載の携帯洗濯セット。
【請求項８】
前記洗浄手段は前記洗浄液を含侵させた綿棒を保持した防水性の細長形状のパッケージであり、
前記リンス手段は、前記リンス液を含侵させた吸水性のシートであり、
前記補助手段は、吸水性のシートである
請求項１に記載の携帯洗濯セット。
【請求項９】
前記洗浄液は、
水中の過酸化水素と反応して炭素数７〜１９のアルキル基を有する有機過酸を生成する有機過酸前駆体と過酸化水素放出体を含有する漂白洗剤組成物と、
タンパク加水分解酵素と、
炭酸水素ナトリウムと、
水と
を含有しており、
前記リンス液は、ベンザジルコニウム塩化物とクエン酸の少なくとも一方を含む防腐剤と水とを成分とする
前記洗剤手段及び前記リンス手段は、コットン製であり、
前記補助手段は、パルプ製である
請求項１〜８のいずれかに記載の携帯洗濯セット。
【請求項１０】
前記洗剤手段は、リングタイプの一つの綿材集合部の綿材の重量は「０．３４〜０．３４５ｇ」であり、前記洗浄液の含侵量「０．１〜０．１４ｇ」である
請求項１〜８のいずれかに記載の携帯洗剤セット。
【請求項１１】
被洗濯対象に請求項１に記載の洗剤手段を押し付ける第１の工程と、
前記第１の工程の後に、前記被洗濯対象に請求項１に記載のリンス手段を押し付ける第２の工程と
を有し、
前記第２の工程は、前記リンス手段と請求項２に記載の補助手段との間に前記被洗濯対象を挟み込んで行う
洗濯方法。
【手続補正２】
【補正対象書類名】明細書
【補正対象項目名】００１９
【補正方法】変更
【補正の内容】
【００１９】
本発明の洗濯方法は、前記第１の工程の後に、前記被洗濯対象に請求項１に記載のリンス手段を押し付ける第２の工程とを有し、前記第２の工程は、前記リンス手段と請求項２に記載の補助手段との間に前記被洗濯対象を挟み込んで行う。